(57)【特許請求の範囲】
【請求項１】
ロータンク本体の上面開口にタンク蓋を被着してタンク蓋の下部の内周に設けた嵌合筒をロータンク本体の周壁の上部の内周に沿わせると共にロータンク本体の周壁の外面とタンク蓋の外面とが略面一になるように印籠蓋構造で施蓋するロータンクの蓋の取り付け構造において、ロータンク本体の周壁の上部の内周に内鍔部を設けると共に内鍔部の上面に複数の挟み込み突起を設け、タンク蓋の嵌合筒の外面に突条を設け、タンク蓋の嵌合筒をロータンク本体の周壁と挟み込み突起との間に挟み込むと共に、隣合う挟み込み突起の間において嵌合筒の外面の突条をロータンク本体の周壁の内面に密着させたことを特徴とするロータンクの蓋の取り付け構造。
【請求項２】
ロータンク本体の周壁の上端の内面に設けた係止爪を嵌合筒の係止穴に係止したことを特徴とする請求項１記載のロータンクの蓋の取り付け構造。
【発明の詳細な説明】
【０００１】
【発明の属する技術分野】
本発明は、水洗便器に付設するロータンクにおいて、ロータンク本体の上面開口にタンク蓋を被着する構造に関するものである。
【０００２】
【従来の技術】
従来、図５に示すようにロータンクをロータンク本体１とタンク蓋２とで構成し、ロータンク本体１の上面開口にタンク蓋２を被着してタンク蓋２の下部の内周に設けた嵌合筒３をロータンク本体１の周壁１ａの上部の内周に沿わせると共にロータンク本体１の周壁１ａの外面とタンク蓋２の外面とが略面一になるように印籠蓋構造で施蓋していた。
【０００３】
かかる従来例では印籠蓋構造でロータンク本体１にタンク蓋２が施蓋されるため、タンク蓋２の外面とロータンク本体１の外面とが略面一になるために外観がよくなり、またタンク蓋２の内面の結露水ｗが図５の矢印ａのように伝って流れて嵌合筒３によりタンク蓋２とロータンク本体１との継ぎ目から外部に漏れるおそれがない。
【０００４】
【発明が解決しようとする課題】
しかしながら、ロータンク本体１が経年変化にて図６の矢印ｂのように外側に膨れるように変形したとき、ロータンク本体１とタンク蓋２の継ぎ目に段差ｄができて外観が悪くなるという問題がある。
【０００５】
本発明は上記の点に鑑みてなされたものであり、ロータンク本体が経年により変形してもロータンク本体とタンク蓋の継ぎ目に段差ができたりしなくて外観が悪くなることがないロータンクの蓋の取り付け構造を提供することを課題とするものである。
【０００６】
【課題を解決するための手段】
上記課題を解決するための本発明のロータンクの蓋の取り付け構造は、ロータンク本体１の上面開口にタンク蓋２を被着してタンク蓋２の下部の内周に設けた嵌合筒３をロータンク本体１の周壁１ａの上部の内周に沿わせると共にロータンク本体１の周壁１ａ外面とタンク蓋２の外面とが略面一になるように印籠蓋構造で施蓋するロータンクの蓋の取り付け構造において、ロータンク本体１の周壁１ａの上部の内周に内鍔部４を設けると共に内鍔部４の上面に複数の挟み込み突起５を設け、タンク蓋２の嵌合筒３の外面に突条６を設け、タンク蓋２の嵌合筒３をロータンク本体１の周壁１ａと挟み込み突起５との間に挟み込むと共に、隣合う挟み込み突起５の間において嵌合筒３の外面の突条６をロータンク本体１の周壁１ａの内面に密着させたことを特徴とする。
タンク蓋２の嵌合筒３をロータンク本体１の周壁１ａと挟み込み突起５との間に挟み込んだことによりロータンク本体１が経年変化にて外側に膨れるように変形してもタンク蓋２がこの変形に追従し、ロータンク本体１とタンク蓋２の継ぎ目に段差を生じたりすることがなく、外観が悪くなることがない。またタンク蓋２が抜けにくいように取り付けることができる。またロータンク本体１の周壁１ａの内面と嵌合筒３との嵌合をきつくでき、タンク蓋２が一層抜けにくいように取り付けることができる。
【０００８】
またロータンク本体１の周壁１ａの上端の内面に設けた係止爪７を嵌合筒３の係止穴８に係止したことを特徴とすることも好ましい。この場合、係止爪７を係止穴８に係止してタンク蓋２が一層抜けにくいように取り付けることができる。
【００１０】
【発明の実施の形態】
先ず、図１、図２に示す実施の形態の例から述べる。ロータンクはロータンク本体１とタンク蓋２とで構成されており、ロータンク本体１やタンク蓋２は合成樹脂等で形成されている。ロータンク本体１は筒状の周壁１ａと底壁とで有底筒状に形成されている。タンク蓋２は上壁２ａと上壁２ａの周囲から全周に亙って垂下した外周壁２ｂとで形成されている。タンク蓋２の外周壁２ｂの下端の内周から全周に亙って嵌合筒３を一体に突設してある。このタンク蓋２はロータンク本体１の上面開口を閉塞するように被着され、嵌合筒３がロータンク本体１の周壁１ａの上部内周に嵌合するように嵌め込まれてロータンク本体１の上面開口が閉塞されている。
【００１１】
ロータンク本体１の周壁１ａの上部の内周には全周に亙って内鍔部４が一体に突設してあり、内鍔部４には上方に突出するように挟み込み突起５を突設してあり、ロータンク本体１の上面にタンク蓋２を被着した状態で周壁１ａの内周と挟み込み突起５との間に嵌合筒３を挟持している。このようにすると、経年変化にてロータンク本体１が変形してもロータンク本体１の変形に追従してタンク蓋２が変形し、ロータンク本体１の外面とタンク蓋２の外面との間に段差を生じない。また嵌合筒３の外面には突条６を設けてあり、嵌合筒３を嵌合したとき突条６がロータンク本体１の周壁１ａの内面に密着するようになっている。これによりタンク蓋２が抜けにくくなっている。また嵌合筒３に周方向に適当な間隔で切り込み１１を設けてあり、嵌合筒３を嵌合するときに嵌合しやすくなっている。また隣り合う挟み込み突起５は連結部１２にて連結してあり、挟み込み突起５を補強してある。また図３に示すものも上記例と同じであり、挟み込み突起５の形状や突条６の形状が異なるだけである。
【００１３】
次に図４に示す実施の形態の例について述べる。ロータンク本体１の周壁１ａの上部の内周に内鍔部４を設けてあり、この内鍔部４に挟み込み突起５を突設してある。また内鍔部４より上で周壁１ａの上端の内周には係止爪７を突設してあり、嵌合筒３には係止穴８を穿孔してある。ロータンク本体１にタンク蓋２を被着して嵌合筒３を嵌合した状態で嵌合筒３が周壁１ａの内面と挟み込み突起５との間に挟持され、係止穴８に係止爪７が係止される。嵌合筒３が周壁１ａの内面と挟み込み突起５との間に挟持されることにより、ロータンク本体１が経年変化にて変形してもタンク蓋２が追従して変形し、ロータンク本体１の外面とタンク蓋２の外面との間に段差を生じない。また係止爪７が係止穴８に係止することでタンク蓋２が一層抜けないように取り付けられる。
【００１５】
【発明の効果】
本発明の請求項１の発明は、ロータンク本体の周壁の上部の内周に内鍔部を設けると共に内鍔部の上面に複数の挟み込み突起を設け、タンク蓋の嵌合筒をロータンク本体の周壁と挟み込み突起との間に挟み込んだので、ロータンク本体が経年変化にて外側に膨れるように変形してもタンク蓋がこの変形に追従し、ロータンク本体とタンク蓋の継ぎ目に段差を生じたりすることがなく、外観が悪くなることがないものであり、またタンク蓋が抜けにくいように取り付けることができるものである。
【００１６】
また、嵌合筒の外面に設けた突条をロータンク本体の周壁の内面に密着させたので、ロータンク本体の周壁の内面と嵌合筒との嵌合をきつくでき、タンク蓋が一層抜けにくいように取り付けることができるものである。
【００１７】
また本発明の請求項２の発明は、請求項１において、ロータンク本体の周壁の上端の内面に設けた係止爪を嵌合筒の係止穴に係止したので、タンク蓋が一層抜けにくいように取り付けることができるものである。
【図面の簡単な説明】
【図１】  本発明の実施の形態の一例の一部切欠縦断面図である。
【図２】  （ａ）は同上の要部を拡大せる分解斜視図、（ｂ）は要部の嵌合状態を示す断面図である。
【図３】  （ａ）は同上の他の例の要部の分解斜視図、（ｂ）は（ａ）の組み立て状態の要部の横断面図である。
【図４】  同上の他の例の要部の分解斜視図である。
【図５】  従来例の一部切欠縦断面図である。
【図６】  従来例の問題を説明する一部切欠縦断面図である。
【符号の説明】
１  ロータンク本体
１ａ  周壁
２  タンク蓋
３  嵌合筒
４  内鍔部
５  挟み込み突起
６  突条
７  係止爪
８  係止穴
【図１】
0003888214.tif 000002
【図２】
0003888214.tif 000003
【図３】
0003888214.tif 000004
【図４】
0003888214.tif 000005
【図５】
0003888214.tif 000006
【図６】
0003888214.tif 000007